(57)【要約】【課題】本発明は、回転子とソケット本体を切り離した後であっても回転子のスムーズな回転動作をより確実に行うことができるランプソケットおよび照明器具を提供する。【解決手段】ランプソケット３は、ソケット本体５と、カバー体６と、複数箇所の微小な切断予定部である切取り部３３を具備する回転子８と、切取り部３３が切断されることにより回転子８側に残存する残余部８１がソケット本体５の回転子挿通孔内で干渉しないよに設けられた逃げ部である傾斜部５０とを具備する。これにより、回転子８を分離後の回転子の回動動作をスムーズに、かつ、確実に行うことができる。【選択図】図６
2004103529.tif 000002
【特許請求の範囲】
【請求項１】
ランプに設けられた口金ピンが接続される弾性可能な少なくとも一対の接触金具が収納部に収納されるとともに、前面側には回転子挿通孔が形成されているソケット本体と；
ソケット本体の収納部を覆うようにソケット本体に設けられるカバー体と；
複数箇所の微小な切断予定部である切取り部がソケット本体の回転子挿通孔と連結して成形されたものであって、切取り部を切断することによりソケット本体から分離されてソケット本体内の所定収容位置に組み込まれて、接触金具間に回転可能に挟持された合成樹脂からなる回転子と；
回転子がソケット本体内の所定収容位置に組み込まれる際に、切取り部が切断されることにより回転子側に残存する残余部がソケット本体の回転子挿通孔内で干渉しないようにソケット本体に設けられた逃げ部と；
を具備することを特徴とするランプソケット。
【請求項２】
照明器具本体と；
照明器具本体に取付けられた請求項１記載のランプソケットと；
ランプソケットに設けられた光源と；
を具備することを特徴とする照明器具。
【発明の詳細な説明】
【０００１】
【発明の属する技術分野】
本発明は、ソケット本体内に収容された合成樹脂製の回転子を９０°回動させることにより、ランプを支持するランプソケットおよび照明器具に関する。
【０００２】
【従来の技術】
従来、直管形の蛍光ランプを備えた照明器具においては、その直管形蛍光ランプを着脱可能に支持する一対のランプソケットが対向して設けられている。ランプソケットは、樹脂により成形されソケット本体、ソケット本体内に収納された一対の接触金具等により構成されているものである。
【０００３】
このようなランプソケットにおいて、ソケットボディ本体内に収容された合成樹脂からなる回転子を、ソケット本体内にそのランプピン通しスリットを通して導入された直管形蛍光ランプのランプピンを介して９０°回動させることにより、回転子を挟持している弾性変形可能な接触金具間にランプピンを挟み込んで前記蛍光ランプを支持する挟み込み形のランプソケットが知られている。（例えば特許文献１参照。）
【０００４】
この特許文献１記載の発明は、上記の挟み込み形のランプソケットの回転子が組立て前において、これとソケット本体とにわたる数箇所の微小な切断予定部である切取り部を介してソケット本体と一体に成形されたものである。そしてこの構成により、合成樹脂製のソケット本体と回転子の一体成形が可能となり、コストを低減できるというものである。
【０００５】
【特許文献１】
特開平１１−５４２３１号公報
【０００６】
【発明が解決しようとする課題】
しかしながら、このような構成であると、回転子の切取り部を切断しソケット本体と回転子とを分離する際の切取り部の破片や破断面の形状によっては、ソケット本体と回転子とに干渉が生じる可能性があった。
【０００７】
特に、回転子側に残余した切取り部の破片等がソケット本体の回転子挿通孔内面と内接してしまうと、回転子の回転動作がスムーズにいかなくなる可能性があった。
【０００８】
本発明は上記に鑑みなされたものであり、回転子とソケット本体を切り離した後であっても回転子のスムーズな回転動作をより確実に行うことができるランプソケットおよび照明器具を提供することを目的とする。
【０００９】
【課題を解決するための手段】
請求項１記載のランプソケットは、ランプに設けられた口金ピンが接続される弾性可能な少なくとも一対の接触金具が収納部に収納されるとともに、前面側には回転子挿通孔が形成されているソケット本体と；ソケット本体の収納部を覆うようにソケット本体に設けられるカバー体と；複数箇所の微小な切断予定部である切取り部がソケット本体の回転子挿通孔と連結して成形されたものであって、切取り部を切断することによりソケット本体から分離されてソケット本体内の所定収容位置に組み込まれて、接触金具間に回転可能に挟持された合成樹脂からなる回転子と；回転子がソケット本体内の所定収容位置に組み込まれる際に、切取り部が切断されることにより回転子側に残存する残余部がソケット本体の回転子挿通孔内で干渉しないようにソケット本体に設けられた逃げ部と；を具備することを特徴とする。
【００１０】
請求項１記載の発明によれば、まず、ソケット本体の収納部に一対の接触金具が収納される。そしてソケット本体の収納部を覆うようにカバー体がソケット本体に設けられる。
【００１１】
次に、ソケット本体の回転子挿通孔と連結して形成されている回転子の切取り部を切断することによって回転子をソケット本体内の所定位置に組込む。
【００１２】
なお、例えば、切取り部を切断する際に回転子側に異形の破断面を有する破片が残余していたとしても、ソケット本体の回転子挿通孔内側に形成された逃げ部によって破片と回転子挿通孔とが干渉することなく、所定の位置にスムーズに回転子が組込まれる。
【００１３】
請求項１記載の発明によれば、ランプに設けられた口金ピンが接続される弾性可能な少なくとも一対の接触金具が収納部に収納されるとともに、前面側には回転子挿通孔が形成されているソケット本体と；ソケット本体の収納部を覆うようにソケット本体に設けられるカバー体と；複数箇所の微小な切断予定部である切取り部がソケット本体の回転子挿通孔と連結して成形されたものであって、切取り部を切断することによりソケット本体から分離されてソケット本体内の所定収容位置に組み込まれて、接触金具間に回転可能に挟持された合成樹脂からなる回転子と；回転子がソケット本体内の所定収容位置に組み込まれる際に、切取り部が切断されることにより回転子側に残存する残余部がソケット本体の回転子挿通孔内で干渉しないようにソケット本体に設けられた逃げ部と；を具備することにより、回転子をソケット本体から分離し、かつ、ソケット本体内の所定収容位置に組込む作業をスムーズに、かつ、確実に行うことができる。また、分離後の回転子の回動動作もスムーズに、かつ、確実に行うことができる。
【００１４】
【発明の実施の形態】
本発明の一実施の形態を図面に基づいて説明する。なお、図１は照明器具のを示す斜視図、図２は蛍光ランプソケットを示す分解斜視図、図３は回転子が分離される前の蛍光ランプソケットを示す正面図、図４は図３の蛍光ランプソケットを示す側面図、図５は図３の接触金具を示す斜視図、図６は図３のＢ−Ｂ’を示す断面図、図７は回転子を分離した後のＢ−Ｂ’を示す断面図、図８は図７のＸ部分を拡大した要部拡大図である。
【００１５】
本実施の形態の照明器具１Ａは図１に示すように、天井面に固定された長尺状の照明器具本体（図示せず）、照明器具本体に対して着脱可能に取り付けられた反射板１、照明器具本体の長手方向の両端部に取り付けられて反射板１に形成された開口２から下向きに挿通され、対向配置された一対のランプソケット３、蛍光ランプソケット３間に着脱可能に支持された光源である直管形蛍光ランプ４により構成されている。
【００１６】
ランプソケット３は図２及び図３に示すように、ソケット本体５と、このソケット本体５に連結されるカバー体６と、切取り部３３を切断することによりソケット本体から分離される合成樹脂からなる回転子８と、一対の接触金具９等により構成されている。
【００１７】
ソケット本体５は、回転子挿通孔１０を有する正面壁１１と、この正面壁１１の周縁から後ろ向きに一体に突設された周壁１２とを備え、背面側には、内部を露出させる開口１３が形成されている。さらに、このケース５には、回転子挿通孔１０に連通して正面壁１１及び周壁１２の下端に開放する口金ピン出入り口１４が形成されている。この口金ピン出入り口１４からは、蛍光ランプ４をランプソケット３に着脱する際に、蛍光ランプ４の両端部にそれぞれ設けられている二本の口金ピン（図示しない）が出し入れされる。
【００１８】
正面壁１１の裏面側の収納部には、図３に示したように一対の接触金具９が収納保持されている。これらの接触金具９は、蛍光ランプ４の口金ピン１５が押圧されて接続されるとともに、電線（図示せず）が差し込まれて接続される部材であり、図４に示すように、長尺状の銅板を折り曲げることにより形成され、口金ピンと押圧状態で接触する第一接続部９ａ、電線が差し込まれる第二接続部９ｂが形成されている。第二接続部９ｂでは、電線が穴部９ｃに差し込まれ、穴部９ｃに差し込まれた電線が折曲部９ｄの先端部で押圧されて抜け止めされることにより、接触金具９と電線との接続状態が維持される。
【００１９】
周壁１２の上辺中央部には電線挿入部１６が形成され、この電線挿入部１６を挟んだ両側位置には、ランプソケット３を照明器具本体の係合部に係合させる係合溝１７が形成されている。
【００２０】
電線挿入部１６は、図２に示すように、周囲より凹んだ部分である凹部１８、凹部１８の底面部に形成された４個の電線挿入穴１９により構成されている。
【００２１】
電線挿入穴１９は電線が挿入される穴であり、ケース５に保持された接触金具９に形成された穴部９ｃと電線挿入穴１９とが上下位置で対向するように位置決めされている。これにより、電線挿入穴１９に挿入した電線をさらに押し込むことにより、その電線の先端部が穴部９ｃに差し込まれる構造となっている。
【００２２】
カバー体６は、円形状リブ２０、回転子支持軸２１、連結用凸部２２及び連結用凹部２３とが形成されとが形成されている。
【００２３】
円形状リブ２０と回転子支持軸２１とは回転子８を支持する部分であり、これらの円形状リブ２０と回転子支持軸２１とは同心に設けられ、カバー体６をソケット本体５に連結したときに挿入口１０に対向する位置に形成されている。
【００２４】
円形状リブ２０には、略９０°の間隔をもって節度用凹部２４，２５が形成されている。略１８０°の間隔をもって位置する一対の節度用凹部２４は上下方向に対向して設けられており、これらの節度用凹部２４に対して略９０°ずれて位置する一対の節度用凹部２５は水平方向に対向して設けられている。
【００２５】
回転子支持軸２１は図２に示すように、円形状リブ２０の突出高さよりもかなり長く、その前端に開放するすり割り溝２６を有するとともに、前端に外側に張出すストッパ縁２７を有している。すり割り溝２６は、口金ピン１５が通過可能な幅に形成されている。
【００２６】
また、連結用凸部２２と連結用凹部２３とは、カバー体６をソケット本体５に連結するためのもので、ソケット本体５における電線挿入部１６には連結用凸部２２が係合する係
合穴３８が形成され、ソケット本体５における口金ピン出入り口１４が形成された側には連結用凹部２２に係合する係合凸部（図示せず）が形成されている。
【００２７】
回転子８は、前後両端が開放された円筒部２８、一対の節度用凸部２９、フランジ部３０、一対の前開きスリット３１、一対の後開きスリット３２等を有している。
【００２８】
円筒部２８は、円形状リブ２０の内側に回転可能に嵌合できる径を有し、その前端部にフランジ部３０が径方向外側に一体に張出して形成されている。一対の前開きスリット３１は、円筒部２８の周方向に略１８０°の間隔をもって設けられ、円筒部２８の前端にそれぞれ開放され、これらの前開きスリット３１によりフランジ部３０は二分されている。節度用凸部２９は前開きスリット３１の延長線上に位置して略１８０°の間隔をもって形成され、回転子８が回転することによりいずれか一対の節度用凹部２４，２５に節度感をもって係脱される。
【００２９】
一対の後開きスリット３２は、前開きスリット３１に対して周方向へ略９０°ずらして形成され、円筒部２８の後端にそれぞれ開放されている。これらの後開きスリット３２により、前開きスリット３１及び節度用凸部２９を周方向略中央部に有する半円筒状部分が、フランジ部３０側を支点として内側に弾性変形できるようになっている。
【００３０】
回転子８の回転子支持軸２１への取り付けは、回転子８の後端部を円形状リブ２０の内側に嵌合させるとともに、フランジ部３０の内周側を回転子支持軸２１のストッパ縁２７に引っ掛けることにより行われている。なお、回転子支持軸２１と回転子８とは、ストッパ縁２７とフランジ部３０とが引っ掛かっているだけで、その他の円筒部２８の内周面と回転子支持軸２１の外周面との間には隙間があり、この隙間により円筒部２８における半円筒状部分の弾性変形が許容され、節度用凸部２９の節度用凹部２４，２５への係脱が可能にされている。
【００３１】
次に本実施形態のソケット本体５と回転子８と連結構造について図３、図４、図６を用いて説明する。なお、図６の（ｂ）は図６（ａ）の要部を示す要部拡大図である。
【００３２】
図３に示したように、ソケット本体５から分離前の回転子８は、前開きスリット３１と直交する左右方向両側にそれぞれ切取り部３３が形成されていることにより、ソケット本体５の回転子挿通孔１０と連結している。
【００３３】
また、この切取り部３３は、図６の（ｂ）に示したように、回転子挿通孔１０の肉厚Ａよりも薄肉である肉厚Ｂで形成されており、回転子８をソケット本体５から分離する際に大きな力が必要ないように構成されている。
【００３４】
ソケット本体５の回転子挿通孔１０は、図６に示したように、切取り部３３と連結している個所を頂点としてソケット本体５の正面側からカバー体６の方向へ向けて径が大きくなるような傾斜部５０が切取り部３３に対応する個所にそれぞれ形成されている。
【００３５】
このような構成のランプソケット３の組立ては、まず、連結用凸部２２を係合穴３８に係合させるとともに連結用凹部２３に係合凸部を係合させることによりソケット本体５とカバー体６とを連結する。
【００３６】
次に、ソケット本体５に連結されている回転子８の切取り部３３を切断し、回転子挿通孔１０から挿入された回転子８を回転子支持軸２１に取付けることにより行う。
【００３７】
なお、図７，８に示したように、切取り部３３を切断した際に回転子８側に残存する残余部８１が異形の破断面を有する破片となっていたとしても、逃げ部である傾斜部５０により、残余部８１が回転子挿通孔１０内で干渉することがないので、連結状態の回転子８を回転子支持軸２１に取り付ける方向へ移動させる際の作業をスムーズに行うことができる。
【００３８】
このようにして組立てられたランプソケット３は、回転子８の前開きスリット３１とソケット本体５に形成されている口金ピン出入り口１４とが一直線上に配列され、照明器具１Ａの照明器具本体に取付けられる。そして、照明器具本体に取付けられているランプソケット３に対して直管形蛍光ランプ４を取付ける場合には、口金ピン出入り口１３から前開きスリット３１内へ直管形蛍光ランプの口金ピン１４を挿入し、挿入後にその直管形蛍光ランプ４を略９０°回転させる。この回転により、直管形蛍光ランプ４と共に回転子８が回転し、直管形蛍光ランプ４の二本の口金ピンは略水平位置に移動するとともに口金ピンが接触金具９に押圧状態で接触し、接触金具９を介して直管形蛍光ランプ４への電力供給が可能となる。
【００３９】
なお、この回転動作の際にもランプソケット本体５に形成された傾斜部５０により、回転子８の残余部８１が回転子挿通孔１０の内壁と干渉することなく回転子８を回動することができるので、回転子８のスムーズな回動動作をより確実に行うことができる。
【００４０】
本実施形態によれば、ソケット本体５の回転子挿通孔１０に、切取り部３３と連結している個所を頂点としてソケット本体５の正面側からカバー体６の方向へ向けて径が大きくなるような傾斜部５０を形成したので、回転子８をソケット本体５から分離し、かつ、回転子支持軸２１へ回転子８を取り付ける作業の際に生じる可能性がある支障をより抑制することができるとともに、回転子８を回動動作する際に生じる可能性がある支障をもより抑制することができる。
【００４１】
【発明の効果】
請求項１記載の発明は、ランプに設けられた口金ピンが接続される弾性可能な少なくとも一対の接触金具が収納部に収納されるとともに、前面側には回転子挿通孔が形成されているソケット本体と；ソケット本体の収納部を覆うようにソケット本体に設けられるカバー体と；複数箇所の微小な切断予定部である切取り部がソケット本体の回転子挿通孔と連結して成形されたものであって、切取り部を切断することによりソケット本体から分離されてソケット本体内の所定収容位置に組み込まれて、接触金具間に回転可能に挟持された合成樹脂からなる回転子と；回転子がソケット本体内の所定収容位置に組み込まれる際に、切取り部が切断されることにより回転子側に残存する残余部がソケット本体の回転子挿通孔内で干渉しないようにソケット本体に設けられた逃げ部と；を具備することにより、回転子をソケット本体から分離し、かつ、ソケット本体内の所定収容位置に組込む作業をよりスムーズに、かつ、より確実に行うことができる。また、分離後の回転子の回動動作もよりスムーズに、かつ、より確実に行うことができる。
【図面の簡単な説明】
【図１】照明器具のを示す斜視図
【図２】蛍光ランプソケットを示す分解斜視図
【図３】回転子が分離される前の蛍光ランプソケットを示す正面図
【図４】図３の蛍光ランプソケットを示す側面図
【図５】図３の接触金具を示す斜視図
【図６】図３のＢ−Ｂ’を示す断面図
【図７】回転子を分離した後のＢ−Ｂ’を示す断面図
【図８】図７のＸ部分を拡大した要部拡大図
【符号の説明】
１Ａ・・・照明器具、３・・・ランプソケット、５・・・ソケット本体、６・・・カバー体、８・・・回転子、５０・・・逃げ部である傾斜部
【図１】
2004103529.tif 000003
【図２】
2004103529.tif 000004
【図３】
2004103529.tif 000005
【図４】
2004103529.tif 000006
【図５】
2004103529.tif 000007
【図６】
2004103529.tif 000008
【図７】
2004103529.tif 000009
【図８】
2004103529.tif 000010